(57)【要約】  本発明は、電話システムにおいて第１の加入者装置（Ａ加入者装置）及び第２の加入者装置（Ｂ加入者装置）間に電話接続を構築するための方法及びシステムに関する。電話システムは、Ａ加入者装置（起呼側）及びＢ加入者装置（被呼側）を接続するよう配置される。方法は、Ｂ加入者装置への接続を構築するためにＡ加入者装置から要求を受信し、また前記Ａ加入者装置のユーザの個人識別コードを受信することを含む。接続は、前記Ａ加入者装置の前記ユーザの前記個人識別コードを受信した後のみ、Ａ加入者装置及びＢ加入者装置間で構築されることができる。
2010518735.tif 000002
【特許請求の範囲】
【請求項１】
Ａ加入者装置及びＢ加入者装置を接続するよう配置される電話システムにおいて、第１の加入者装置（Ａ加入者装置）及び第２の加入者装置（Ｂ加入者装置）間の電話接続を構築するための方法であって、
Ｂ加入者装置への接続を構築するためにＡ加入者装置から要求を受信する段階と、
前記Ａ加入者装置のユーザの個人識別コードを受信する段階と、
前記Ａ加入者装置の前記ユーザの前記個人識別コードを受信した後、前記Ａ加入者装置及び前記Ｂ加入者装置間の前記接続を構築する段階と
を電話システムによって具備することを特徴とする方法。
【請求項２】
前記電話システムは、少なくとも前記Ａ加入者装置のユーザの個人識別コードを格納するよう配置され、
前記受信された個人識別コードは、前記格納された個人識別コードに一致するか否かを判断する段階と、
前記受信された個人識別コードが前記格納された個人識別コードに一致する場合のみ、前記Ｂ加入者装置への前記接続を構築する段階と
をさらに具備することを特徴とする請求項１に記載の方法。
【請求項３】
Ａ加入者装置コードを受信する段階をさらに具備することを特徴とする請求項１又は２に記載の方法。
【請求項４】
前記電話システムは、少なくとも前記Ｂ加入者装置のユーザの個人識別コードを格納するよう配置され、
前記接続を構築するための前記要求を備えた前記Ｂ加入者装置の電話番号を受信する段階と、
前記電話システムが前記受信された電話番号に対する前記Ｂ加入者装置の前記ユーザの前記個人識別コードを格納している場合のみ、前記接続を構築する段階と
を具備することを特徴とする請求項１〜３に記載の方法。
【請求項５】
一つ以上のアクセス制限信号を受信する段階と、
前記一つ以上のアクセス制限信号の受信に応答して、前記Ａ加入者装置の前記ユーザ及び前記Ｂ加入者装置の前記ユーザの少なくとも１つに対する、前記電話システム及び前記Ａ加入者装置又は前記Ｂ加入者装置のユーザの少なくとも１つへのアクセスを制限する段階と
をさらに具備することを特徴とする請求項１〜４に記載の方法。
【請求項６】
前記電話システムへのアクセスを制限する前記段階は、
前記接続を終端する段階と、
一つ以上の共存する接続を終端する段階と、
さらなる接続の構築を防ぐ段階と
の少なくとも１つを具備することを特徴とする請求項５に記載の方法。
【請求項７】
前記電話システムへのアクセスを制限する前記段階は、
アクセスが前記Ａ加入者装置の前記ユーザに対して制限された回数と、
前記Ａ加入者装置の前記ユーザに対して受信されたアクセス制限信号の回数と、
前記アクセス制限信号が受信されている前記Ａ加入者装置の前記ユーザ及び前記Ｂ加入者装置のユーザ間の電話通信履歴と
の少なくとも１つに依存することを特徴とする請求項５又は６に記載の方法。
【請求項８】
アクセスを制限する前記段階は、特定の時間期間に前記電話システムへのアクセスの制限を含むことを特徴とする請求項５〜７に記載の方法。
【請求項９】
警告信号は、前記Ａ加入者装置の前記ユーザに提供されることを特徴とする請求項１〜８に記載の方法。
【請求項１０】
前記電話システムは、第１のＢ加入者装置及び第２のＢ加入者装置への接続を構築するよう配置され、
前記第１のＢ加入者装置から前記アクセス制限信号を受信する段階と、
前記一つ以上のアクセス制限信号の受信に応答して、前記Ａ加入者装置のユーザから前記第２のＢ加入者装置が電話コールを受信することを防ぐ段階と
を具備することを特徴とする請求項５〜９に記載の方法。
【請求項１１】
前記Ａ加入者装置の前記ユーザの前記個人識別コードは、安全な方法で受信されることを特徴とする請求項１〜１０に記載の方法。
【請求項１２】
前記Ｂ加入者装置のユーザへの電話接続に対する前記Ａ加入者装置のユーザからの第１の承認信号を受信する段階と、
前記Ａ加入者装置のユーザへの電話接続に対する前記Ｂ加入者装置のユーザからの第２の承認信号を受信する段階と、
第１及び第２の承認信号の両方が受信されている場合のみ、前記接続を構築する段階と
をさらに具備することを特徴とする請求項１〜１１に記載の方法。
【請求項１３】
電話システムによって導入及び実行される時、請求項１〜１２に従う方法を実行するよう適合されるソフトウェアコード部分を具備することを特徴とするコンピュータプログラム。
【請求項１４】
請求項１３に従うコンピュータプログラムを具備することを特徴とするキャリア。
【請求項１５】
第１の加入者装置（Ａ加入者装置）及び第２の加入者装置（Ｂ加入者装置）間で電話接続を構築するよう適合される電話システムであって、
Ｂ加入者装置への接続を構築するためにＡ加入者装置から要求を受信するよう適合される要求受信機と、
前記Ａ加入者装置のユーザの個人識別コードを受信するよう適合される識別コード受信機と、
前記Ａ加入者装置の前記ユーザの前記個人識別コードを受信した後、前記Ａ加入者装置及び前記Ｂ加入者装置間の前記接続を構築するよう適合される接続構築装置と
を具備することを特徴とする電話システム。
【請求項１６】
前記Ａ加入者装置のユーザの個人識別コードを少なくとも格納するための格納モジュールと、
前記識別コード受信機によって受信される前記個人識別コードが前記格納モジュールによって格納される個人識別コードに一致するか判断するよう適合される判断モジュールと、
前記受信機によって受信される前記個人識別コードが前記格納モジュールによって格納される前記個人識別コードに一致する場合、前記接続構築装置が前記Ｂ加入者装置への前記接続を構築のみするよう適合される前記電話システムと
をさらに具備することを特徴とする請求項１５に記載の電話システム。
【請求項１７】
Ａ加入者装置コードを受信するよう適合される装置コード受信機をさらに具備することを特徴とする請求項１５又は１６に記載の電話システム。
【請求項１８】
前記Ｂ加入者装置のユーザの個人識別コードを少なくとも格納するための格納モジュールをさらに具備し、
前記要求受信機は、前記接続を構築するための前記要求から前記Ｂ加入者装置の電話番号をフィルタリングするよう適合され、
前記電話システムは、前記格納モジュールが、前記受信された電話番号に対する前記Ｂ加入者装置の前記ユーザの前記個人識別コードを格納している場合のみ、前記接続構築装置が前記接続を構築するよう配置されることを特徴とする請求項１５〜１７に記載の電話システム。
【請求項１９】
一つ以上のアクセス制限信号を受信するよう適合されるアクセス制限受信機と、
前記一つ以上のアクセス制限信号の受信に応答して、前記Ａ加入者装置の前記ユーザに対して前記電話システムへのアクセスを制限するよう適合されるアクセス制限装置と
をさらに具備することを特徴とする請求項１５及び１６に記載の電話システム。
【請求項２０】
前記Ａ加入者装置への前記接続を終端するよう適合される接続終端装置と、
前記Ａ加入者装置への一つ以上の共存する接続を終端するよう適合される接続終端装置と、
前記Ａ加入者装置の前記ユーザへのさらなる接続の構築を防ぐよう適合される接続防止装置と
の少なくとも１つをさらに具備することを特徴とする請求項２１に記載の電話システム。
【請求項２１】
前記Ａ加入者装置の前記ユーザに対して前記電話システムへのアクセスを制限することが、
アクセスが前記Ａ加入者装置の前記ユーザに対して制限された回数と、
アクセス制限信号が前記Ａ加入者装置の前記ユーザに対して受信された回数と、
前記アクセス制限信号が受信されている前記Ａ加入者装置の前記ユーザ及び前記Ｂ加入者装置のユーザ間の電話通信履歴と
の少なくとも１つに依存するよう、前記アクセス制限装置を制御するよう適合される評価モジュールをさらに具備することを特徴とする請求項１９又は２０に記載の電話装置。
【請求項２２】
前記電話システムは、特定の時間期間に前記電話システムへのアクセスを制限するよう配置されることを特徴とする請求項１９〜２１に記載の電話システム。
【請求項２３】
前記Ａ加入者装置の前記ユーザに警告信号を提供するよう適合される警告信号生成装置をさらに具備することを特徴とする請求項１５〜２２に記載の電話システム。
【請求項２４】
前記電話システムは、第１のＢ加入者装置及び第２のＢ加入者装置への接続を構築するよう適合され、
前記第１のＢ加入者装置からアクセス制限信号を受信するよう適合されるアクセス制限信号受信機と、
前記一つ以上のアクセス制限信号の受信に応答して、前記Ａ加入者装置のユーザからの電話コールを前記第２のＢ加入者装置が受信することを防ぐよう適合されるアクセス防止装置と
を具備することを特徴とする請求項１５〜２３に記載の電話システム。
【請求項２５】
前記電話システムは、前記Ａ加入者装置の前記ユーザの前記個人識別コードを安全な方法で受信するよう適合される請求項１５〜２４に記載の電話システム。
【請求項２６】
前記Ｂ加入者装置のユーザへの電話接続に対して前記Ａ加入者装置のユーザから第１の承認信号を受信し、
前記Ａ加入者装置のユーザへの電話接続に対して前記Ｂ加入者装置のユーザから第２の承認信号を受信し、
第１及び第２の承認信号の両方が受信されている場合のみ前記接続を構築する、
よう適合される承認モジュールをさらに具備することを特徴とする請求項１５〜２５に記載の電話システム。
【請求項２７】
請求項１５〜２６の一つ以上の電話システムへ接続するＡ加入者装置又はＢ加入者装置であるよう適合される電話装置。
【発明の詳細な説明】
【技術分野】
【０００１】
本発明は、電話接続を構築する分野に関する。具体的に、本発明は、前記Ａ加入者装置及びＢ加入者装置を接続するよう配置される電話システムにおいて第１の加入者装置（Ａ加入者装置）及び第２の加入者装置（Ｂ加入者装置）間の電話接続を構築する分野に関する。
【背景技術】
【０００２】
電話コールは、人々の日々の生活に浸透しているとして次第に受け入れられている。電子メールスパムメッセージもさることながら、求められていない電話コールは、望まれず、時間の無駄であり、悩ましいと考えられる。また、電子メールスパム防止の分野は、著しく発展する一方、求められていない電話コールに対するフィルタは、あまり進歩していないようである。
【０００３】
従って、求められていない電話コールを低減する各種オプションが考えられてきた。
【０００４】
ＵＳ２００６／０１４７０１４は、複数のユーザに対する電話取扱いリストを開示する。着信した電話コールの取扱いは、コール元からの将来のコールを遮断したいことを反映する一人以上のコール受信者からインジケーションを受信することを含む。コール元は、コール元の電話番号によって識別される。コール元からの将来のコールを遮断したいことを反映する受信されたインジケーションの数は、スレショルドに対して判断及び比較される。コール元の識別子は、インジケーションの数がスレショルドに一致する時、将来のコールが特に取扱われるコール元のリストへ追加される。望まれていないコール元から着信したコールを取扱うことは、コール受信者へ置かれるコールのインジケーションを受信することを含む。コールの元は、識別される。識別されたコール元が、将来のコールが特に取扱われるコール元のリストに含まれるかが判断される。特別な取扱いは、識別されたコール元がリストに含まれる時、コールへ適用される。
【０００５】
従来技術の方法は、他のコール元、即ち他の電話番号を用いて容易に回避可能である。求められていない電話コールを低減する改善された方法に対する手法の必要性が存在する。
【発明の概要】
【課題を解決するための手段】
【０００６】
本発明の目的は、求められていない電話コールを低減する従来の方法及びシステムを改善する方法及びシステムを提供することにある。
【０００７】
そのために、方法は、電話システムに第１の加入者装置（Ａ加入者装置）及び第２の加入者装置（Ｂ加入者装置）間の電話接続を構築するために提案される。電話システムは、Ａ加入者装置（起呼側）及びＢ加入者装置（被呼側）を接続するよう配置される。方法は、Ｂ加入者装置への接続を構築するためにＡ加入者装置から要求を受信し、また前記Ａ加入者装置のユーザの個人識別コードを受信することを含む。接続は、前記Ａ加入者装置の前記ユーザの前記個人識別コードを受信した後のみ、Ａ加入者装置及びＢ加入者装置間に構築されることができる。
【０００８】
また、出願人は、方法を実行するための一つ以上のこれらコンピュータプログラムを含む一つ以上のコンピュータプログラム及びキャリアを提案する。
【０００９】
また、電話システムは、第１の加入者装置（Ａ加入者装置）及び第２の加入者装置（Ｂ加入者装置）間の電話接続を構築するために提案される。システムは、Ｂ加入者装置への接続を構築するためにＡ加入者装置から要求を受信するよう適合される要求受信機と、前記Ａ加入者装置のユーザの個人識別コードを受信するよう適合される識別コード受信機とを含む。また、前記Ａ加入者装置の前記ユーザの前記個人識別コードが受信された後のみ、前記Ａ加入者装置及び前記Ｂ加入者装置間の前記接続を構築するよう適合される接続構築装置が提供される。
【００１０】
電話システムは、従来の固定システム（例えば、ＰＯＴＳ）、モバイル又は無線電気通信システム、その組合せだけでなく、インターネット電話機、例えばボイスオーバＩＰ手法（ＶｏＩＰ）のシステム又はネットワークも含めることが分かる。
【００１１】
また、個人識別コードは、一つ以上の部分を含めることが分かる。
【００１２】
また、電話システムが必ずしもクライアント−サーバシステムに関しないことが分かる。また、本発明は、例えばbittorrentアプリケーションに用いるピアツーピアネットワークに適用可能であり、電話システム又は（いくつかの）機能は、ピアツーピアネットワークに関与する一つ以上のユーザ装置の一部であると考えることができる。
【００１３】
ユーザの個人識別コードを受信することによって、電話システムは、使用される装置を認識のみする代わりに、システムのサービスを要求している個人を実際に認識することができる。結果的に、電話システムは、受信された認証情報の結果として装置のみではなく、特定のユーザに方策を適用することができる。言い換えると、特定のユーザに適用される方策は、異なる装置を用いて無効又は回避されることができない。そのような方策の一例は、電気通信システムのサービスへの特定のユーザによるアクセスを制限することが可能である。
【００１４】
請求項２及び１６の実施形態は、加入者のみの電話システムの利点を提供する。
【００１５】
請求項３及び１７の実施形態は、Ａ加入者装置コード（例えば、電話番号）が個人識別コードに結合できる利点を提供する。
【００１６】
請求項４及び１８の実施形態は、Ｂ加入者装置のユーザが自分の個人識別コードで電話システムによって知られている場合のみ、Ａ加入者装置のユーザがＢ加入者装置にコールすることを可能とする。
【００１７】
請求項５及び１９の実施形態は、Ｂ加入者装置のユーザが、電話コールが求められていないか又は望まれていないＢ加入者装置のユーザによって受信される場合、Ａ加入者装置のユーザに対して電話システムへのアクセスを制限できるようにする。アクセスは、Ａ加入者装置のユーザの個人識別コードに基づき制限されるので、このユーザは、異なるＡ加入者装置を用いてこの方策を単に回避することができない。個人識別コードは例えば、コードを所有する個人によって接続をさらに構築する試みが、接続が構築できる前にこの格納装置に対して先ずチェックされるよう格納されることができる。
【００１８】
しかし、アクセス制限は、単一のアクセス制限信号よりも多くが特定のユーザに対して受信された場合、他のコールの間、同一のＢ加入者装置のユーザから、又は他のＢ加入者装置のユーザからの何れでも適用のみできることが分かる。
【００１９】
請求項６及び２０の実施形態は、電話システムへのアクセスを制限するための方策を定義する。Ｂ加入者装置からアクセス制限信号を受信すると、アクセス制限信号を発するようＢ加入者装置のユーザをトリガした電話コールは、終端されることができる。また、複数のコールが同時に（例えば、コールセンターから）作成された場合、全てのこれらコールは、終端されることができる。また、さらなる（将来の）接続が防がれる。
【００２０】
請求項７及び２１の実施形態は、電話システムへのアクセス権利の制限を緩和するためのいくつかのメカニズムを提供する。特に、出願人は、アクセス制限信号が受信された前記ユーザ及びＢ加入者装置の前記ユーザ間の通信履歴に依存して、少なくとも一つのアクセス制限信号が受信されたＡ加入者装置のユーザに対して電話システムへのアクセスを制限することを提案する。一例として、電話システムへのアクセス制限は、Ａ加入者装置のユーザがＢ加入者装置のユーザに知られていない場合（例えば、ユーザが予め互いにコールしていない場合）、直ちに実行されることができる。しかし、起呼側及び被呼側が互いに知っている場合、電話システムへのアクセスは、直ちに制限されない（或いは、いくつかのアクセス制限信号が異なる電話コールに対して受信された後のみでもよい）。電話システムのユーザ間の通信履歴は、受信された個人識別コードに基づき追跡されることができる。
【００２１】
請求項８及び２２の実施形態は、Ａ加入者装置のユーザに対して電話システムへのアクセス制限を緩和するためのもう１つの方策を提供する。
【００２２】
請求項９及び２３の実施形態は、Ａ加入者装置のユーザがアクセス制限の前に警告されることができる利点を提供する。予めプログラムされた警告信号が提供されてもよい。
【００２３】
請求項１０及び２４の実施形態は、他の将来の受信者がＡ加入者装置のユーザから電話コールを受信することができるかを、電話コールの受信者が判断できるようにする。
【００２４】
請求項１１及び２５の実施形態は、個人識別コードの探知を防ぐ。例えばデータの暗号化及び／又は安全な接続を用いて、安全な接続が得られる。
【００２５】
請求項１２及び２６の実施形態は、電話接続の構築の前に互いに電話通信を承認する機能を加入者に提供する。特に、ユーザは、互いの番号をダイアルするためにその電話機を使用することができる（或いは、個人識別コードを組み合わせてもよい）。電話システムが電話番号及び個人識別を受信する場合、承認が与えられるだろう。参照は、本出願と同時に出願された同時継続の国際特許出願（“Method and system for prior approval of telephone communication”）になされ、国際出願の内容は、その全体を参照によって本出願に組込まれている。
【００２６】
また、本発明は、上で説明した方法及びシステムで用いる電話装置に関する。特に、電話装置は、接続を設定するために電話システムに個人識別コードを発するよう適合されるべきである。
【００２７】
以下、本発明の実施形態がさらに詳細に説明される。しかし、これらの実施形態は、本発明の保護範囲を限定するとして解釈できないことが分かる。
【図面の簡単な説明】
【００２８】
【図１】図１は、本発明の実施形態による方法を実行するための通信システムの概略図である。
【図２】図２は、本発明の実施形態による電話システムの概略図である。
【図３】図３は、本発明の実施形態による電話装置の概略図である。
【図４】図４は、本発明の第１の実施形態による方法の段階を図示する時間図である。
【図５】図５は、本発明の第２の実施形態による方法の段階を図示する時間図である。
【図６】図６は、本発明の第３の実施形態による方法の段階を図示する時間図である。
【図７】図７は、本発明の第４の実施形態による方法の段階を図示する時間図である。
【発明を実施するための形態】
【００２９】
電話接続を構築及び終端するための電気通信インフラ及び手順に関する詳細は、当業者にとって知られており、説明しない。一例として、ＧＳＭ電話機に関して、１９９２年 M. Mouley及びM. Pautetによる書籍“The GSM System for Mobile Communications”（ISBN 2-9057190-0-7）が参照される。ＵＭＴＳ電話機に関して、２００１年 Harri Holma及びAntti Toskalaによる書籍“WCDMA for UMTS”(ISBN 0 471 48687 6)が参照される。
【００３０】
図１は、電話システム２を備える電話インフラ１を示す。電話システム２は、例えばサーバを備えることができ、第１の電気通信ネットワーク３を介してＡ加入者装置４、及び第２の電気通信ネットワーク５を介してＢ加入者装置６に接続される。第１及び第２の電気通信ネットワーク３、５は、１つ以上の有線又は無線ネットワークを備えることができる。図１の状況では、Ａ加入者装置４は、有線ネットワークを介して電話システム２に接続され、Ｂ加入者装置６は、無線アクセスネットワークを介して部分的に接続される。また、電話インフラ１は、ＶｏＩＰ電話機を含むインターネット電話機に適することができる。Ａ加入者装置４及びＢ加入者装置６は、電話機通信に適する任意の種類の装置にすることができる。電話システム２によって、Ａ加入者装置４及びＢ加入者装置６間でネットワーク３及び５を介した電話機接続の構築が可能となる。勿論、ネットワーク３及び５は、同一の技術を用いて同一のネットワーク又は複数のネットワークにすることができる。電話機の決まりに従うと、Ａ加入者装置４（コール元）は、起呼側によって使用されると考えられ、Ｂ加入者装置（コール先）は、被呼側によって使用されると考えられる。
【００３１】
電話システム２の特定の機能は、図２に概略的に図示され、さらに詳細に説明される。電話システム２は、プロセッサ１０及びメモリ１１を備え、ネットワーク３、５を介してＡ加入者装置及びＢ加入者装置の両方への接続を可能にするよう構成される。電話システム２は、図１に示す２つの電話装置より多くへの接続が通常可能であることが分かる。また、機能は、プロセッサ１０によって実行される一つ以上のコンピュータプログラムのソフトウェアコード部分として広く実装できることが分かる（タスクは、複数のプロセッサ上に分配されることができる）。
【００３２】
電話サーバ２は、Ａ加入者装置４から要求を受信するよう適合される要求受信機１３を備え、Ｂ加入者装置６への接続を構築する。また、電話サーバ２は、Ａ加入者装置４のユーザの個人識別コードを受信するよう適合される識別コード受信機１４と、Ａ加入者装置４のユーザの個人識別コードを受信した後のみＡ加入者装置４及びＢ加入者装置６間の接続を構築するよう適合される接続構築装置１５とを備える。個々の消費者に関して、各ユーザ（又は家庭）は、独自の個人識別コードを所有するのが好ましいが、コールセンター等、ユーザのグループ（例えば、会社）に共通の識別コードを割り当てることが有利な場合があり、コールセンター全体に方策（measures）を適用することができる。
【００３３】
また、電話システムは、Ａ加入者装置４のユーザの個人識別コードを格納するための格納モジュール１６を含む。個人識別コードは、例えば電話システム２を使用するためにユーザの加入が入力される間、格納モジュールに予め格納されることができる。判断モジュール１７が備えられ、識別コード受信機１４によって受信される個人識別コードが格納モジュール１６によって格納される個人識別コードに一致するかを判断するよう適合される。プロセッサ１０は、個人識別コード受信機１４によって受信される個人識別コードが格納モジュール１６によって格納される個人識別コードに一致する場合、接続構築装置１５がＡ加入者装置４及びＢ加入者装置６間の接続のみ構築するようプログラムされることができる。
【００３４】
また、電話システム２は、Ａ加入者装置４のコードを受信するよう適合される装置コード受信機１８を含む。例えば、装置コードは、Ａ加入者装置４の電話番号、電話番号に類するコード（例えば、ＩＭＳＩ）及び／又はハードウェアコード（Ａ加入者装置４のＩＭＥＩ番号又はＭＡＣアドレス等）を備える。また、装置コードは、コールセンターの共通コードでもよいことが分かる。
【００３５】
また、格納モジュール１６は、Ｂ加入者装置のユーザの個人識別コードを少なくとも格納するよう構成されることができる。また、格納モジュール１６は、電話システム２にＢ加入者装置６のユーザの加入を入力する時、そのようなコードを予め格納することができる。要求受信機１３は、電話接続を構築するための要求からＢ加入者装置６の電話番号をフィルタリングするよう適合されることができる。電話システム２は、格納モジュール１６が、受信された電話番号に対してＢ加入者装置６のユーザの個人識別コードを格納している場合のみ、接続構築装置１５が電話接続を構築するよう配置されることができる。例えば、このリンクは、要求受信機１３によって受信されるＢ加入者装置６の電話番号を介して作成されることができる。
【００３６】
Ａ加入者装置４及び／又はＢ加入者装置６のユーザの個人識別コードの利用可能性によって、電話システム２は、電話システム２からサービスを要求するユーザを識別することができる。ユーザは、例えば受信された個人識別コードを一つ以上の知られた装置コードにリンクすることによって、又は接続を構築する過程又は接続中にＡ加入者装置４及び／又はＢ加入者装置６から装置コードを受信することによって、電話システム２によって装置に接続されることができる。個人識別コード（或いは、他の識別コード及び／又は一つ以上の装置コードとの組合せ）の利用可能性は、一つ以上の特定ユーザに向けられるアクションをトリガする可能性を電話システム２に提供する。
【００３７】
特に、電話システム２は、一つ以上のアクセス制限信号を受信するよう適合されるアクセス制限受信機１９を備える。また、電話システム２は、一つ以上のアクセス制限信号の受信に応答して、前記Ａ加入者装置４のユーザに対して電話システム２へのアクセスを制限するよう適合されるアクセス制限装置２０を備える。アクセス制限受信機１９がアクセス制限信号を（例えば、Ｂ加入者装置６から）受信する場合、電話システム２は、電話コールに関与した、アクセス制限信号が受信されたＡ加入者装置４のユーザの個人識別コードを判断する。個人識別コードは、例えばデータベースにＡ加入者装置４のユーザの個人識別コード（又は関連付けられるフィールド）をフラグすることによって、又は別のレジスタにＡ加入者装置４のユーザの個人識別コードを格納することによって記憶される。
【００３８】
電話システム２へのアクセスを制限するための各種可能性が存在する。
【００３９】
電話システム２は、Ａ加入者装置４への現在の接続を終端するよう適合される接続端末（connection terminator）２１を有することができる。また、接続端末２１は、Ａ加入者装置４への一つ以上の共存する接続（co-existing connection）を終端するよう構成されることができる。後者のオプションは、アクセス制御信号が受信されたＡ加入者装置４のユーザが複数のコールに関与した場合に使用されることができる。この状況では、これらコールの各々が終端されることができる。Ａ加入者装置４のユーザが必ずしも全てのこれらコールの起呼側でなかったことが明らかである。
【００４０】
特に、電話システム２はまた、前記Ａ加入者装置４のユーザに対してさらなる接続の構築を防ぐよう適合される接続防止装置２２を含むことができる。即ち、Ａ加入者装置４のユーザが他のコールを作成したい場合、及び電話システム２がこのユーザに対して一つ以上のアクセス制限信号の受信に応答してフラグされているとしてユーザを識別する場合、接続防止装置２２は、電話接続が所望のＢ加入者装置に対して構築されることを防止する。この方策は、さらなるコールのために電話接続を構築する要求の前、同時、又は後に個人識別コードが送信されるべきなので、異なるＡ加入者装置４を用いることによって回避できないことが明らかである。電話システム２はその後、電話接続がこのユーザのために設定されるべきではないと判断する。
【００４１】
また、接続防止装置２２は、先の段落で説明した方策の代わりに、又は追加して、Ａ加入者装置４のユーザがコールされることを防止することができる（即ち、Ａ加入者装置４のユーザが現在起呼側である）。電話システム２の格納モジュール１６は、Ａ加入者装置の一つ以上の電話番号（又は関連情報）を格納し、これら電話番号の一つ以上を個人識別コードにリンクする。Ｂ加入者装置への電話接続を構築する要求が作成される場合、電話システム２は、Ａ加入者装置４の電話番号にリンクされる個人識別コードを判断する。この個人識別コードが割り当てられたユーザにアクセス制限が適用されることを電話システム２が判断する場合、接続防止装置２２を用いることによって接続が構築されない。起呼側は、電話システム２によってこの状況が知らされることができる。
【００４２】
人々からなる会社又はグループが共通の個人識別コードを割り当てられる場合、方策は、会社又はグループに適用されることができる。また、その会社又はグループ内でユーザの個人コードに対して、特定の会社又はグループの共通コードを組み合わせることができる。方策はその後、（共通の個人識別コードに基づき）会社又はグループに、及び／又は（個人識別コードに基づき）会社又はグループの人々にも適用されることができる。一例として、会社は、会社の共通の個人識別コードに基づき電話システム２から警告信号を受信する一方で、アクセス制限信号を受信する間の電話コールに関与したその会社の特定ユーザに対して、上の方策が全て適用される。電話システム２は、そのような状況で会社の識別コードおよび個人識別コードの両方に気付いている。
【００４３】
先の段落で説明した方策は、単一のアクセス制限信号に応答してもはや適用される必要がないことが分かる。電話システム２へのアクセスが制限される前のアクセス制限信号の数は、設定されることができる。一例として、５０、２５、１０、５、２、又は１個のアクセス制限信号は、アクセスが電話システム２に制限される前に特定の個人識別コードに対して電話システム２によって受信されることを必要としうる。
【００４４】
上で説明した方策は、Ａ加入者装置４の特定ユーザにとって厳しくできることが分かる。とりわけ、単一（又は数個のみ）のアクセス制限信号の受信がアクセスを制限するのに電話システム２にとって十分な場合にあてはまる。この状況を緩和するために、電話システム２は、評価モジュール２３を備える。評価モジュール２３は、アクセス制限装置２０を制御するよう適合され、Ａ加入者装置４のユーザに対する電話システム２へのアクセス制限は、例えばアクセスがこのユーザに対して制限された回数、及び／又はこのユーザに受信されたアクセス制限信号の数に依存する。また、電話システム２は、タイマー２４を用いて、特定の時間期間にアクセス制限するよう構成されてもよい。
【００４５】
特に、電話システム２は、アクセス制限信号が受信されたＡ加入者装置４のユーザとＢ加入者装置６のユーザとの間の電話通信履歴を考慮するよう構成される。一例として、電話システム２へのアクセス制限は、Ａ加入者装置４のユーザがＢ加入者装置６のユーザに知られていない場合（例えば、ユーザが予め互いにコールしなかった場合）、直ちに実行されることができ、このユーザは、アクセス制限信号を送信する。しかし、起呼側及び被呼側が互いを知っている場合（しかし一方で、複数のアクセス制限信号が異なる電話コールに対して受信されている後のみ、Ｂ加入者装置の同一ユーザから、又は他のユーザから）、電話システム２へのアクセスは、直ちに制限されない。故に、評価モジュール２３は、（例えば、起呼側及び被呼側の個人識別コードに基づいて）ユーザ間の過去の電話コールを追跡するよう構成される。
【００４６】
また、電話システム２は、一つ以上のアクセス制限信号の受信に応答して、Ａ加入者装置４のユーザに警告信号を提供するよう適合される警告信号送信機２５を備えることができる。警告信号は、さらなる侵害の可能な結果のＡ加入者装置４のユーザに対する情報を含むことができる。警告信号は、どのようにこの装置がアドレスされることができるのかに関する情報が利用可能な時、Ａ加入者装置４へ、又は他の装置へ送信されることができる。一例として、電話システム２がＡ加入者装置４のユーザの電子メールアドレスの情報を有する場合、警告メッセージは、この電子メールアドレスに送信されることができる。
【００４７】
勿論、電話システム２は、複数の加入者装置を接続することができる。特に、電話システム２は、第１のＢ加入者装置と第２のＢ加入者装置との接続を構築するよう配置できる。アクセス制限信号受信機１９は、第１のＢ加入者装置からアクセス制限信号を受信するよう適合されることができる。接続防止装置２２は、前記一つ以上のアクセス制限信号の受信に応答して、Ａ加入者装置４のユーザから第２のＢ加入者装置が電話コールを受信することを防ぐよう構成されることができる。言い換えると、被呼側は、一つ以上のアクセス制限信号が受信されたＡ加入者装置４の電話コールに対する他の将来の被呼側のアクセスを判断することができる。
【００４８】
電話システム２は、例えば安全な接続、データ暗号化手法、又は両方の組合せを用いて、安全な方法で少なくとも個人識別コードを受信するよう配置される。これら方策は、個人識別コードが第３者によって傍受される機会を低減する。
【００４９】
電話システム２は、Ｂ加入者装置６のユーザへの電話接続に対するＡ加入者装置４のユーザから第１の承認信号を受信するよう、及びＡ加入者装置４のユーザへの電話接続に対するＢ加入者装置６のユーザからの第２の承認信号を受信するよう適合される承認モジュール２６を備える。承認モジュール２６は、第１及び第２の承認信号の両方が受信されている場合のみ電話接続が構築されることができるよう、接続構築装置１５を制御する。承認信号が受信される場合、タイマー２４は、互いに将来の電話コールを承認しているユーザ間に電話接続が構築されることを許容する電話システム２のステータスを更新するために他のユーザの承認信号が受信されるべき時間期限を設定するよう使用されることができる。また、承認モジュール２６は、個人識別コードを受信することとは別個に適用できることが分かる。一例として、承認は、Ａ加入者装置４及びＢ加入者装置６だけの電話番号に基づいてもよい。
【００５０】
図３は、電話装置、例えば図１のＡ加入者装置４又はＢ加入者装置６の概略図である。
【００５１】
Ａ加入者装置４は、プロセッサ３０、メモリ３１（例えば、内部メモリ、ＳＩＭカード、又は他のメモリカード）及びキーボード３２を含む。勿論、Ａ加入者装置４は、ディスプレイ等の他の要素を備えることができる。
【００５２】
上で説明した通り、Ａ加入者装置４は、電話システム２に個人識別コードを送信することができるべきである。個人識別コードは、各種方法で利用可能に作成することができる。
【００５３】
第１の例では、個人識別コードは、キーボード３２を用いてユーザによって入力されることができる。このコードは、メモリ３１に格納され、電話システム２への電話接続を構築する要求を送信する時に使用できるよう作成されることができる。
【００５４】
第２の例では、個人識別コードは、接続が求められるＢ加入者装置６の電話番号と組み合わせて、キーボード３２を用いてＡ加入者装置４のユーザによって入力されることができる。
【００５５】
第３の例では、個人識別コードは、メモリ３１に既に格納されている。ほとんどの電話装置によって、電話装置は、個人識別番号（ＰＩＮ）又はパスワードを入力した後のみ動作可能である。個人識別コードは、正しいＰＩＮ又はパスワードの入力に依存して、メモリ３１から利用又は抽出可能に作成されることができる。個人識別コードは、ＰＩＮ又はパスワードが再び入力されるまで利用可能である（例えば、電話装置が再びスイッチオン又はオフされた場合）。この例では、複数のＰＩＮ又はパスワードが単一の電話装置の各種ユーザに対して有効である場合、複数の個人識別コードは、複数のユーザの単一装置に対して、格納され、利用可能に作成され、ＰＩＮ又はパスワードへリンクされることができる。
【００５６】
また、電話装置４、６は、電話装置のユーザが求められていないか又は望まれていない着信電話コールを受ける場合、電話システム２へアクセス制限信号を送信するよう構成されることができる。アクセス制限信号は例えば、専用キー、電話装置のディスプレイ上に表示される特定機能に関するソフトキー、又はキーの特定の組合せを動作することによって送信されることができる。
【００５７】
さらなる例が想定されることが明らかである。電話装置は、少なくとも１つの個人識別コードが電話システム２に送信されることができるように構成されるべきである。また、電話装置は、電話番号又は関連情報等、装置コードを送信するよう構成されることができる。
【００５８】
説明を続けると、電話システム２の動作の例が、図４〜７を参照して与えられる。これらの例又はその段階は、組み合わせて、又は別個に適用できることが分かる。
【００５９】
図４では、段階４０において、要求は、Ｂ加入者装置６への電話接続を構築するために、Ａ加入者装置４から電話システム２の要求受信機１３によって受信される。段階４１において、Ａ加入者装置４のユーザの個人識別コードはまた、識別コード受信機１４によって受信される。勿論、個人識別コードは、電話接続を構築する要求の前、同時又は後に受信されることができる。個人識別コードの受信に応答して、Ｂ加入者装置６への電話接続は、接続構築装置１５を用いて段階４２で構築される。
【００６０】
Ｂ加入者装置６のユーザが所望のコールを受ける場合、電話コールは、何れかの側が接続を終端するまで継続される。
【００６１】
Ｂ加入者装置６のユーザが求められていないか又は望まれていないコールを受ける場合、Ｂ加入者装置６のユーザは、アクセス制限信号を送信するために装置６を動作することができる。電話システム２のアクセス制限信号受信機１９は、段階４３でＢ加入者装置６からアクセス制限信号を受信する。
【００６２】
電話システム２は、各種方法でＡ加入者装置４のユーザへのアクセスを制限することができる。
【００６３】
図４では、アクセス制限信号の受信に応答して、アクセス制限装置２０は、上で説明した通り、評価モジュール２３の動作後でもよいが、矢印４４によって示される、電話システム２へのアクセスを遮断する。アクセスは、Ａ加入者装置４のユーザの個人識別コードをフラグすることによって制限される。
【００６４】
Ａ加入者装置４のユーザが電話システム２を用いて他のコールを作成しようとする場合、このユーザによって使用される装置は、このユーザの個人識別コードを再び送信するべきである。判断モジュール１７によってこの個人識別コードに対してフラグが存在すると判断する時、接続防止装置２２は、段階４５でクロスによって示されるこの後続コールに対する電話接続の構築を防ぐ。
【００６５】
図５の段階５０は、電話システム２が、Ａ加入者装置４のユーザの個人識別コードと組み合わせて、Ｂ加入者装置６への電話接続を構築するためにＡ加入者装置４から要求を受信することを示す。段階５１は、電話接続の構築を示し、段階５２は再び、アクセス制限信号受信機１９によってＢ加入者装置６からアクセス制限信号を受信することを示す。
【００６６】
図５における電話システム２へのアクセス制限の形式は、図４とは異なる（故に、図４を参照して図示及び説明されているアクセス制限に代えて、又は組み合わせて適用可能である）。
【００６７】
図５では、Ｂ加入者装置６からのアクセス制限信号は、他のＢ加入者装置６（Ｂ２として示す）への接続を防ぐために電話システム２をトリガする。一つ以上のアクセス制限信号が受信された後、Ａ加入者装置４のユーザが段階５３において電話装置Ｂ２に（同一の電話装置又は他の電話装置を用いて）他の電話コールを作成しようとする場合、接続及び個人識別コードに対するその要求は、電話システム２によって受信される。電話システム２は、個人識別コードが割り当てられたユーザが一つ以上のアクセス制限信号を受信したとしてフラグされていることを判断する。結果として、電話装置Ｂ２への電話接続は、構築されない（段階５４においてクロスによって示される）。類似して、Ｂ加入者装置６に対する新たな電話接続は、構築されることができない（段階５５及び５６）。
【００６８】
図４の実施形態とは対照に、図５の状況において、Ａ加入者装置４のユーザは、他の電話装置への電話接続を構築することもできる。図５における電話装置Ｂ２へのアクセスが（例えば、電話装置Ｂ２の電話番号が、電話システム２での判断時に元のアクセス制限信号を送信したＢ加入者装置６のユーザによって明示されたので）制限される一方、他の電話装置は、コールされてもよい。一例として、図５の実施形態の電話システム２によって、Ａ加入者装置４のユーザは、緊急電話番号及び／又は他の選択された番号グループへ電話接続を構築することもできる。他方では、Ａ加入者装置４のユーザは、（自分の個人識別コードによって示されうる）選択された電話装置グループ又は特定のユーザグループの装置への電話接続を作成することから除外のみされることができる。勿論、選択されたグループは、全ての加入者を含むことができる。
【００６９】
図６において、段階６０は、電話システム２が、Ａ加入者装置４のユーザの個人識別コードと組み合わせて、Ｂ加入者装置６への電話接続を構築するために、Ａ加入者装置４から要求を受信することを示す。段階６１は、電話接続の構築を示す一方、段階６２では再び、アクセス制限信号受信機１９によってＢ加入者装置６からアクセス制限信号を受信することを示す。
【００７０】
図６における電話システム２へのアクセス制限の形式は、図４及び５とは異なる（故に、図４及び／又は図５を参照して図示及び説明されたアクセス制限に代えて、又は組み合わせて適用可能である）。
【００７１】
図６の実施形態では、元のアクセス制限信号が受信されているＡ加入者装置４のユーザは、電話コールを受信することから除外される。電話装置Ｂ２のユーザがＡ加入者装置４のユーザへの電話コールを作成しようとする場合（段階６３）、電話システム２は、Ａ加入者装置４の電話番号（或いは他の電話番号）のユーザに対するフラグを発見する。この発見に応答して、電話システム２、具体的には接続防止装置２２は段階６４で、Ａ加入者装置４（又はユーザの個人識別コードに関して格納される他の電話番号）への電話接続の構築を防ぐ。
【００７２】
図４〜６の実施形態では、説明されたアクセス制限は、アクセス制限信号受信機１９による一つ以上のアクセス制限信号の受信に応答して、アクセス制限装置２０によって実行できることが分かる。一般に、特に単一又は少数のアクセス制限信号がユーザに対するアクセス制限に十分な場合、アクセス制限装置２０は、図２を参照して説明される通り、評価モジュール２３によって制御されることができる。
【００７３】
最後に、図７は、評価モジュール２６を用いる実施形態を示す。この実施形態は、このコードの使用が図７に示されているが、Ａ加入者装置４のユーザの個人識別コードの使用に対して別途に適用できることが分かる。
【００７４】
図７では、Ａ加入者装置４のユーザは、Ｂ加入者装置６への電話接続を構築するよう要求することができる。Ａ加入者装置４のユーザによるこの要求及び個人識別コードは、段階７０及び７１で受信される。承認モジュール２６は、Ｂ加入者装置６のユーザへの電話接続に対する第１の承認信号として要求を解釈する。接続構築装置１５は未だ、対応する要求がＢ加入者装置６から受信されるまで電話接続を実際に構築しない（段階７２及び７３によって示される）。この要求は、Ｂ加入者装置６のユーザへの電話接続に対する第２の承認信号として解釈される。両方の承認信号が受信される場合、接続構築装置１５によって、Ａ加入者装置４及びＢ加入者装置６間の電話接続を構築することができる（段階７４）。電話接続は、直ちに構築される必要がない。
【００７５】
電話システム２は、第１の承認信号の有効期間を設定するためにタイマー２４を適用することができる。第２の承認信号が有効期間に受信される場合、電話接続の構築が許容される。他の電話装置のユーザに対して第１の承認信号の存在を気付かせるために、電話システム２は、Ｂ加入者装置６のユーザに警告するために通知信号を適用することができる。有効期間は、例えば１時間、１日、１週間又は２週間に設定できる。
【図１】
2010518735.tif 000003
【図２】
2010518735.tif 000004
【図３】
2010518735.tif 000005
【図４】
2010518735.tif 000006
【図５】
2010518735.tif 000007
【図６】
2010518735.tif 000008
【図７】
2010518735.tif 000009
【国際調査報告】
2010518735.tif 000010
2010518735.tif 000011